(57)【特許請求の範囲】
【請求項１】
ベッドの長手方向に延びるベースフレームに着脱可能に取り付けられると共に、サイド部材を保持してベッドの側方を覆うベッドのサイド部材取付装置において、
上部にサイド部材の取付部を有し下部にネジ部を有する基部と、
該基部の上方で外方へ突出し前記ベースフレームの上に掛止められる上部掛止部とからなる固定受具と、
前記基部に上下に摺動自在に外嵌される摺動部と、該摺動部から前記上部掛止部に対向するように突設してベースフレームの下部に掛止められる下部掛止部とからなる可動受具と、
該可動受具の下方で、前記基部のネジ部に螺着して上下に螺進退自在に設けられ、外方へ延びる操作片を有するレバー部と、
該レバー部の旋回を拘束するロック手段とからなって、
レバー部を下方に螺退動するように旋回してレバー部の下降と共に可動受具を下方へ摺動させて下部掛止部と上部掛止部との間隔を広げ、その隙間にベースフレームを嵌込んでベースフレームに沿って移動可能となし、レバー部を上方へ螺進動するように旋回させて下部掛止部と上部掛止部との間隔を狭めベースフレームを上下から挟圧し、ロック手段でレバー部と共に可動受具を固定してなることを特徴とするベッドの側方部材取付装置。
【請求項２】
基部に取り付けられて垂下する杆材にレバー部が摺動自在に連結されると共に、該レバー部が付勢手段により基部に接近する方向に付勢されており、旋回により下方へ螺退動しても基部から離脱しないようになっていることを特徴とする請求項１に記載のベッドの側方部材取付装置。
【請求項３】
ロック手段が、可動受具の裏面に形成された溝部と、レバー部の上面に形成されて上記溝部に係合可能なストッパとからなっており、該ストッパが溝部から外れたロック待機位置と溝部に係止するロック位置とに移動可能にレバー部に取り付けられていることを特徴とする請求項１に記載のベッドの側方部材取付装置。
【請求項４】
溝部がレバーの旋回角度に対応した等間隔の多数の溝群からなっていることを特徴とする請求項３に記載のベッドの側方部材取付装置。
【請求項５】
レバー部が、ネジ部に螺着し基部に沿って上下に螺進退可能に形成され、その下方で外周方向に沿って複数設けられたロック受部を備えたレバー軸部と
レバー軸部の下方で基部に旋回自在に外嵌し、上記ロック受部に係合可能なロック突部を有するレバー片部とからなっており、
ロック突部をロック受部に係合しレバー片部とレバー軸部を連動して旋回させ上下に螺進退可能となし、ロック突部をロック受部から外してレバー片部を独立して旋回自在となし、レバー片部の任意の旋回位置でロック突部をロック受部に係合可能としたことを特徴とする請求項１または２に記載のベッドの側方部材取付装置。
【請求項６】
ロック受部が凹部または孔からなり、ロック突部が上記凹部または孔に出没自在な突軸からなっていることを特徴とする請求項５に記載のベッドの側方部材取付装置。
【請求項７】
ロック受部が、ロック解除方向に逆進しないように拘束された歯車からなっており、
ロック突部が、上記歯車に係合可能な爪部からなることを特徴とする請求項５に記載のベッドの側方部材取付装置。
【請求項８】
レバー片部に、ロック突部をロック受部方向に付勢する付勢手段を設けており、該付勢力に抗してロック突部をロック解除方向に保持する補助ロック手段を備えてなることを特徴とする請求項５に記載のベッドの側方部材取付装置。
【請求項９】
補助ロック手段が、ロック突部のベース部とレバー片部の先端との間に貫通されて付勢手段を有する軸部と、該軸部の先端に形成されてロック突部をロック解除位置まで引き出した位置でレバー片部の先端側に掛止可能な保持ストッパとからなることを特徴とする請求項８に記載のベッドの側方部材取付装置。
【発明の詳細な説明】
【０００１】
【発明の属する技術分野】
この発明は、ベッドの長手方向に延びるベースフレームに着脱可能に取り付けられると共に、サイド部材を保持してベッドの側方を覆うベッドのサイド部材取付装置に関する。
【０００２】
【従来の技術】
従来のサイド部材取付装置は、上部にサイドレールやパネル等のサイド部材を保持しており、下部はベッドの側辺に延びるベースフレームに固定するために、上下の掛止部をベースフレームに挟み、工具を用いてネジ止め等によりフレームに固定して取り付けており、布団止め等として機能させている。
しかし、上記構成では、取付位置の変更が煩わしく、サイドレール等のサイド部材を所望の位置に簡便に取り付けることができない欠点があった。
【０００３】
【発明が解決しようとする課題】
この発明は上記事情に鑑みて創案されたものであって、その主たる課題は、サイド部材をベッドのベースフレームの任意の位置に簡単な操作で取り付け、またベースフレーム上を所望の位置まで移動させて取り付けることができるベッドの側方部材取付装置を提供することにある。
この発明の別の課題は、ネジを用いた螺進退により可動受具を上下動させて、固定受具との間でベースフレームを挟圧固定するベッドの側方部材取付装置を提供することにある。
【０００４】
【課題を解決するための手段】
この発明は、前記課題を解決するために、請求項１の発明では、
ベッドの長手方向に延びるベースフレームに着脱可能に取り付けられると共に、サイド部材を保持してベッドの側方を覆うベッドのサイド部材取付装置において、
上部にサイド部材の取付部を有し下部にネジ部を有する基部と、
該基部の上方で外方へ突出し前記ベースフレームの上に掛止められる上部掛止部とからなる固定受具と、
前記基部に上下に摺動自在に外嵌される摺動部と、該摺動部から前記上部掛止部に対向するように突設してベースフレームの下部に掛止められる下部掛止部とからなる可動受具と、
該可動受具の下方で、前記基部のネジ部に螺着して上下に螺進退自在に設けられ、外方へ延びる操作片を有するレバー部と、
該レバー部の旋回を拘束するロック手段とからなって、
レバー部を下方に螺退動するように旋回してレバー部の下降と共に可動受具を下方へ摺動させて下部掛止部と上部掛止部との間隔を広げ、その隙間にベースフレームを嵌込んでベースフレームに沿って移動可能となし、レバー部を上方へ螺進動するように旋回させて下部掛止部と上部掛止部との間隔を狭めベースフレームを上下から挟圧し、ロック手段でレバー部と共に可動受具を固定してなる、という技術的手段を講じている。
【０００５】
また、請求項２の発明では、
前記基部に取り付けられて垂下する杆材にレバー部が摺動自在に連結されると共に、該レバー部が付勢手段により基部に接近する方向に付勢されており、旋回により下方へ螺退動しても基部から離脱しないようになっている、という技術的手段を講じている。
【０００６】
請求項３の発明では、
前記ロック手段が、可動受具の裏面に形成された溝部と、レバー部の上面に形成されて上記溝部に係合可能なストッパとからなっており、該ストッパが溝部から外れたロック待機位置と溝部に係止するロック位置とに移動可能にレバー部に取り付けられている、という技術的手段を講じている。
【０００７】
請求項４の発明では、
前記溝部がレバーの旋回角度に対応した等間隔の多数の溝群からなっている、という技術的手段を講じている。
【０００８】
また、請求項５の発明では、
前記レバー部が、ネジ部に螺着し基部に沿って上下に螺進退可能に形成され、その下方で外周方向に沿って複数設けられたロック受部を備えたレバー軸部と、レバー軸部の下方で基部に旋回自在に外嵌し、上記ロック受部に係合可能なロック突部を有するレバー片部とからなっており、
ロック突部をロック受部に係合しレバー片部とレバー軸部を連動して旋回させ上下に螺進退可能となし、ロック突部をロック受部から外してレバー片部を独立して旋回自在となし、レバー片部の任意の旋回位置でロック突部をロック受部に係合可能とした、という技術的手段を講じている。
【０００９】
更に、請求項６の発明では、
前記ロック受部が凹部または孔からなり、ロック突部が上記凹部または孔に出没自在な突軸からなっている、という技術的手段を講じている。
【００１０】
請求項７の発明では、
前項のロック受部が、ロック解除方向に逆進しないように拘束された歯車からなっており、
ロック突部が、上記歯車に係合可能な爪部からなる、という技術的手段を講じている。
【００１１】
また、請求項８の発明では、
請求項５の前記レバー片部に、ロック突部をロック受部方向に付勢する付勢手段を設けており、該付勢力に抗してロック突部をロック解除方向に保持する補助ロック手段を備えてなる、という技術的手段を講じている。
【００１２】
更に、請求項９の発明では、
前項の補助ロック手段が、ロック突部のベース部とレバー片部の先端との間に貫通されて付勢手段を有する軸部と、該軸部の先端に形成されてロック突部をロック解除位置まで引き出した位置でレバー片部の先端側に掛止可能な保持ストッパとからなる、という技術的手段を講じている。
【００１３】
【発明の実施の形態】
以下にこの発明のベッドのサイド部材取付装置の好適実施例について図面を参照しながら説明する。
図１に概略を示すサイド部材取付装置１は、布団止め等としてベッドの側方を覆うサイド部材、本実施例ではフレーム状からなるサイドレールＳを保持するもので、ベッドの長手方向に延びる角パイプのベースフレームＦに着脱可能に取り付けられる構造からなっている。
【００１４】
そこで、第１実施例のサイド部材取付装置１は、図２〜図１６に示すように、固定受具２と、該固定受具２との間隔を狭めたり広げたりする方向に変位する可動受具３と、該可動部材３を押し上げあるいは下降させるレバー部４と、該レバー部４を拘束するロック手段５とからなっている。
即ち、固定受具２は、図４〜図６に示すように、上部にサイドレールＳの脚柱を嵌め込む取付部２５を有し下方に延びる軸部２１の下部にネジ部２２を刻設した筒状の基部２０と、該基部２０の上方で外方へ突出し前記ベースフレームＦの上に掛止められる断面略横倒コ字状の上部掛止部２３とからなっている。
【００１５】
本実施例では、断面アングル状のオプションガイド７を用いて、左右に一定間隔で配置された固定受具２、２が固着されている。
即ち、オプションガイド７は、上部掛止部２３の凹部の頂壁と外側の内壁に沿って断面Ｌ状に嵌め込まれ固定されるので、左右一対の固定受具２、２の間隔を固定することができ、それぞれに設けられた一対の取付部２５の間隔を保持することができる。
そのため、上部掛止部２３の凹部は、後述の下部掛止部３３の凹部よりもオプションガイドの厚み分だけ大きく形成されている。
このオプションガイド７は設けずに、サイド部材の脚部を直接に固定受具に取り付けて、一対の固定受具の間隔を規定する構成であってもよい。
【００１６】
なお、本実施例ではサイド部材Ｓは、パイプフレームからなっているが、この発明ではパネルでもよく、その際にパネルには一対の脚部を設けて固定受具に取り付ける構成であっても、あるいは脚部を設けずパネルに固定受具を一体に固定して取り付ける等、その形状、構造は特に限定されない。
サイド部材を固定受具と別体として連結する構成に限らず、サイド部材と固定受具とを一体に形成された構成であってもよい。
【００１７】
可動受具３は、図７〜図１３に示すように、前記基部２０の軸部２１に上下に摺動自在に外嵌される摺動部３０と、該摺動部３０の上方から前記上部掛止部２３に対向するように外方へ突設してベースフレームＦの下部に掛止められる断面横倒コ字状の下部掛止部３３とを有している。
更に、本実施例で可動受具３は、摺動部３０の下端に外方へ水平に延びる底壁面部３４と、該底壁面部３４の先端から下部掛止部３３に連なる連設片３５とを有している。
【００１８】
そして、下部掛止部３３の溝底壁には、調整板６が、摺動自在に外嵌している。
この調整板６は、図に示すように、前記溝底壁に摺動可能に嵌め込まれる断面アングル状からなっており、その上方の横片６１を長くし、先端の厚みに対応する縦片６２を介して連接される下方の横片６３を上方の横片６１の中途位置までの長さとして短く設定した本体部と、下方の横片６３の中途位置で垂下するレバー片６５とからなっている。
そして上方の横片６１の裏面、即ち、下部掛止部３３の溝底壁３３ａと接する面６１ｂは段階的に傾斜するテーパ面に形成している。
【００１９】
一方、下部掛止部３３の溝底壁３３ａの上面には、図示のように上記テーパ面に対応する傾斜面を段階的に形成して掛止め可能としている。
また溝底壁３３ａの下面には、下方の横片６３をガイドして直線状にスライドさせるためのガイドレール３８が形成されている。
この調整板６は、硬質のプラスチック材からなっており、レバー片６５を持ち溝底壁３３ａに沿って摺動して使用するので、摺動につれて漸次厚みが厚くなり、後述のように、上部掛止部２３と下部掛止部３３とで挟んだベースフレームＦがガタつかないように楔作用によって隙間を埋めることができる。
【００２０】
次ぎに、前記摺動部３０の下端に形成された底壁面部３４には、その裏面の先端側に溝部３６を設けている。
この溝部３６は、底壁面部３４の長手方向に延びる多数の溝群からなっており、図示例の場合、基軸２１との枢着位置を中心に放射状に延びて、次ぎに述べるレバー部４の旋回角度に対応して等間隔に配置されている。
この溝部３６は、図９（ｂ）に示すように、断面の一方（旋回ロック方向）が傾斜面で他方（旋回ロック解除方向）が垂直に形成されて、ロック解除方向には逆戻りしないような谷形状に形成されている。
上記実施例では溝部３６を設けたが、ロック受部が、ロック解除方向に逆進しないように拘束された歯車からなっており、後述のロック突部が、上記歯車に係合可能な爪部からなるような構成であってもよい。
【００２１】
レバー部４は、前記可動受具３の下方で、前記基部２０のネジ部２２に螺着するネジ孔４２を有して、上下に螺進退自在に設けられ、外方へ延びる操作片４１を有している。
また、筒状の基軸２１には、その中空部に上端が掛け止められて貫通し下方へ垂下するピンＰ１が設けられており、このピンＰ１は前記レバー部４のネジ孔４２を貫通して、ネジ孔４２下端に嵌合するエンドキャップ４８に下端が掛け止められている。
そして、ピンＰの長さは、レバー部４が下方へ螺退動可能な長さに設定されており、コイルスプリングＳ１が外嵌されて一端が基軸側に係止され、他端がレバー部４に係止されているので、レバー部４が下降するとエンドキャップ４８を介して基軸２１側に付勢されるようになって、レバー部４が外れないようにしている。
【００２２】
このレバー部４の旋回を拘束するロック手段は、可動受具３の裏面に形成された前記溝部３４と、レバー部４の上面に形成されて上記溝部３４に係合可能なストッパ４４とからなっている。
ここでストッパ４４は、上端に爪４４ａを有し、中途部がバネ部４４ｂを介してレバー部４に長手方向に形成された長孔４５にスライド可能に嵌め込まれており、下端に摘み部４４ｃが形成されている。
そこで、レバー部４を締めた状態でストッパ４４を長孔４５に沿って先端側にスライドさせると、上端の爪４４ａがいずれかの対応する前記溝部３６に整合し、凹凸係合される。
【００２３】
これにより、レバー部４は締めた状態で上記係合により可動受具３に一体に拘束され、また前記スプリングＳの付勢力により上記係合が外れることもない。
ここで、可動受具３は、固定受具２に対して上下摺動は可能であるが、旋回はできないよう拘束されている。
即ち、固定受具２は、基軸２１に縦に延びるガイド片Ｇ１を一体突設しており、基軸２１に外嵌される可動受具３には、外嵌時に上記ガイド片Ｇ１を嵌め込む縦溝Ｇ２が形成されているので、可動受具３は、固定受具２に対して上下のみに摺動しうるようになっている。
【００２４】
上記構成からなっているので、レバー部４を下方に螺退動するように旋回してレバー部４の下降と共に可動受具３を下方へ摺動させて下部掛止部３３と上部掛止部２３との間隔を広げ、その隙間にベースフレームＦを嵌込む。
その状態でベースフレームに沿って所望の位置に移動させてから、レバー部４を上方へ螺進動するように旋回させ、下部掛止部３３を上昇させて上部掛止部２３との間隔を狭め、ベースフレームＦを上下から挟圧する。
そして、レバー部４をその締付位置でロック手段により拘束して可動受具３を固定して取付が完了する。
固定受具２には取付部に予めサイド部材を取付けておいてもよいし、後から取り付けてもよい。
【００２５】
次ぎに、ベッドのサイド部材取付装置の異なる実施例を説明する。
図に示すサイド部材取付装置１は、固定受具２と、可動受具３と、レバー軸部７とレバー片部８とからなるレバー部４と、該レバー片部４を拘束するロック手段とからなっている。
ここで、固定受具２と、可動受具３とは前記実施例とほぼ同様であり、同一構成には同一符号を付して、その説明を省略する。
可動受具３には調整板を設けなくても良く、下部掛止部３３の溝底壁にゴムマットなどを固着してもよい。
【００２６】
また、本実施例では、可動受具３にロック手段を設けていないので、そのための構成も不要となる。
従って、可動受具３は、筒状からなって固定受具２の基軸２１に外嵌しており、前記実施例と同様に旋回を拘束し上下に摺動可能なガイド手段を固定受具２との間に有し、下部掛止部３３を突設しただけの構成からなっている。
【００２７】
レバー部４は、レバー軸部７とレバー片部８とからなっている。
レバー軸部７は、略円筒状からなっており、固定受具２の基軸２１のネジ部２２に螺合するネジ孔７２を有しており、基軸２１に上下に螺進退可能に取り付けられている。
このレバー軸部７の下端は、小径に形成されて外周方向に沿って等間隔に凹部または孔を有するロック受部７５が形成されている。
【００２８】
レバー片部８は、その基部８１が上記ロック受部７５に旋回可能に軸支されており、該基部８１から把持部８２が外方へ延びている。
このレバー片部８には、長手方向に沿って摺動可能な駒８２が内蔵されており、該駒８３の先端には上記ロック受部７５に出没自在な突部８４が形成されている。
そして前記駒８３には把持部８２を貫通して延びる軸部８５が固定されており、この軸部８５に圧縮されたスプリング８６が外嵌して駒８３と把持部８２の先端の内壁の間に介設されているので、駒８３を常時ロック方向に付勢している。
【００２９】
ここで把持部８２の先端は凹状に窪む凹部８７を有しており、軸部８５の先端に形成された保持ストッパ８８を横方向にして収納しうるようになっている。
そこで、横向きの保持ストッパ８８を引き出し、これを縦に変位させると保持ストッパ８８は凹部８７に戻れずその外側で把持部８２の外壁に衝合し拘束される。
これにより駒８３はロック解除方向に引き出されロック突設はロック受部７５の孔から外れるので、レバー片部８は旋回自在となる。
そこで、レバー片部８を任意に旋回して保持ストッパ８８を横向きに戻し凹部に収納させると、付勢力でロック突部８４は近傍のロック受部７５の孔に没入し、所定の旋回した姿勢のままでロックされる。
【００３０】
上記構成からなっているので、レバー片部８をレバー軸部７に係合した状態でレバー片部８を旋回させると、レバー部４として一体となって螺退動により下降する。
これにより、可動受具３が自重により下方へ摺動し下部掛止部３３が下がり、上部掛止部２３との隙間が広がる。
そこで、ベースフレームＦを嵌込み、所望の位置に設定する。
【００３１】
次ぎに、レバー片部８を逆方向に旋回して螺進動するとレバー部４が一体となって上昇するので可動受具３が押し上げられ、固定受具２の上部掛止部２３との間でベースフレームＦを挟圧し、固定することができる。
この状態で前述のように、レバー片部８とレバー軸部７とのロックの係合を解除し、ネジの緊締状態のレバー軸部７はそのままとし、レバー片部８のみを任意の向きに旋回させ、その位置でロックすることができる。
これにより、ロック時にレバー片部がどの位置にあっても、ロック力を弱めることなく、レバー片部を所望の向きに変位することができるので邪魔にならない。
【００３２】
尚、本実施例でもレバー片部８がネジを緩める方向に旋回した場合にネジ部から脱落しないようにピンＰ１と、レバー片部８を上方へ付勢するスプリングＳ１とが設けられている。
即ち、本実施例ではピンＰ１は、基軸２１の中空内に上下に摺動自在に嵌挿されており、該中空内でピンＰ１を上方に付勢するようにスプリングＳ１が介設されている。
このピンＰ１の垂下した先端がレバー片部８の基部を貫通してナットなどで掛け止められているので、レバー片部８を旋回して下降させた場合にも、付勢力でレバー片部８はレバー軸部７側に押されており、操作しやすくなっている。
【００３３】
【発明の効果】
この発明は、上記構成からなるので、ネジの螺進退による昇降動並びに緊締力を用いてサイド部材をベッドのベースフレームの任意の位置に簡単な操作で取り付け、またベースフレーム上を所望の位置まで移動させて取り付けることができる。
特に、ネジを用いた螺進退により可動受具を上下動させて、固定受具との間でベースフレームを挟圧固定するので、取付に工具がいらない。
また、レバー部を二分してレバー片部を旋回自在とすることにより、ロック後にレバー片部の位置を自由に変えることができ、レバー片部が邪魔になることがない。
【図面の簡単な説明】
【図１】ベッドのサイド部材取付装置の第２実施例を基にした概略構成を示す斜視図である。
【図２】ベッドのサイド部材取付装置の第１実施例の側面図である。
【図３】固定受具の側面図である。
【図４】同正面図である。
【図５】同背面図である。
【図６】同平面図である。
【図７】可動受具の側面図である。
【図８】同平面図である。
【図９】（ａ）は同底面図、（ｂ）は溝部の谷の部分拡大図である。
【図１０】調整板の正面図である。
【図１１】図７のＡ−Ａ断面図である。
【図１２】同Ｂ−Ｂ断面図である。
【図１３】同Ｃ−Ｃ断面図である。
【図１４】レバー部の同平面図である。
【図１５】同底面図である。
【図１６】（ａ）はレバー部に爪部を取り付けた状態の断面図、（ｂ）は爪部の正面図である。
【図１７】ベッドのサイド部材取付装置の第２実施例を示す側面図である。
【図１８】同底面図である。
【符号の説明】
１    サイド部材取付装置
２    固定受具
３    可動受具
４    レバー部
６    調整板
７    レバー軸部
８    レバー片部
【図１】
0003974711.tif 000002
【図２】
0003974711.tif 000003
【図３】
0003974711.tif 000004
【図４】
0003974711.tif 000005
【図５】
0003974711.tif 000006
【図６】
0003974711.tif 000007
【図７】
0003974711.tif 000008
【図８】
0003974711.tif 000009
【図９】
0003974711.tif 000010
【図１０】
0003974711.tif 000011
【図１１】
0003974711.tif 000012
【図１２】
0003974711.tif 000013
【図１３】
0003974711.tif 000014
【図１４】
0003974711.tif 000015
【図１５】
0003974711.tif 000016
【図１６】
0003974711.tif 000017
【図１７】
0003974711.tif 000018
【図１８】
0003974711.tif 000019